(57)【特許請求の範囲】
【請求項１】
１次巻線及び２次巻線を有するトランスが複数、列方向及び行方向にマトリクス状に配列され、第１入力端子及び第２入力端子と第１出力端子及び第２出力端子との間に接続されたトランス装置であって、
前記列方向に配列された前記複数のトランスからなる列ブロックの複数において、前記各列ブロック内の前記複数のトランスの前記１次巻線は、前記第１入力端子と前記第２入力端子との間に直列に接続され、且つ、前記複数の列ブロックの１次巻線側両電極が前記第１入力端子と前記第２入力端子との間に並列に接続され、
前記行方向に配列された前記複数のトランスからなる行ブロックの複数において、前記各行ブロック内の前記複数のトランスの前記２次巻線は、前記第１出力端子と前記第２出力端子との間に直列に接続され、且つ、前記複数の行ブロックの２次巻線側両電極が前記第１出力端子と前記第２出力端子との間に並列に接続されていることを特徴とするトランス装置。
【請求項２】
トランス第１入力端子、トランス第２入力端子、トランス第１出力端子及びトランス第２出力端子を有するトランス回路が複数、列方向及び行方向にマトリクス状に配列され、第１入力端子及び第２入力端子と第１出力端子及び第２出力端子との間に接続されたトランス装置であって、
前記列方向に配列された前記複数のトランス回路からなる列ブロックの複数において、前記各列ブロックは、前記各列ブロック内の一端側に配置された前記トランス回路における前記トランス第１入力端子に接続されたトランス第１入力端子側電極と、前記各列ブロック内の他端側に配置された前記トランス回路における前記トランス第２入力端子に接続されたトランス第２入力端子側電極と、を有し、
前記各列ブロック内の前記複数のトランス回路の前記トランス第１入力端子及び前記トランス第２入力端子は、前記第１入力端子と前記第２入力端子との間に直列に接続され、且つ、前記複数の列ブロックの前記トランス第１入力端子側電極及び前記トランス第２入力端子側電極が前記第１入力端子と前記第２入力端子との間に並列に接続され、
前記行方向に配列された前記複数のトランス回路からなる行ブロックの複数において、前記各行ブロックは、前記各行ブロック内の一端側に配置された前記トランス回路における前記トランス第１出力端子に接続されたトランス第１出力端子側第１電極と、前記各行ブロック内の他端側に配置された前記トランス回路における前記トランス第１出力端子に接続されたトランス第１出力端子側第２電極と、を有し、
前記各行ブロック内の前記複数のトランス回路の前記トランス第１出力端子及び前記トランス第２出力端子は、前記第１出力端子と前記第２出力端子との間に直列に接続され、且つ、前記複数の行ブロックの前記トランス第１出力端子側第１電極及び前記トランス第１出力側第２電極が前記第１出力端子と前記第２出力端子との間に並列に接続され、
前記各トランス回路は、
１次巻線及び２次巻線をそれぞれ有する第１トランス及び第２トランスを備え、
前記第１トランスの前記１次巻線及び前記第２トランスの前記１次巻線は、前記トランス第１入力端子と前記トランス第２入力端子との間に並列に接続され、
前記第１トランスの前記２次巻線及び前記第２トランスの前記２次巻線は、前記トランス第１出力端子と前記トランス第２出力端子との間に直列に接続されていることを特徴とするトランス装置。
【発明の詳細な説明】
【技術分野】
【０００１】
本発明は、複数のトランスにより構成される大容量のトランス装置に関するものである。
【背景技術】
【０００２】
従来、例えば、特許文献１〜３等に記載されているように、１次巻線及び２次巻線を有するトランスを複数接続したトランス装置が知られている。これらのトランス装置では、例えば、複数のトランスの１次巻線を並列に接続し、２次巻線を直列に接続して容量を大きくする等の工夫がされている。
【先行技術文献】
【特許文献】
【０００３】
【特許文献１】特開平６−３１８５２４号公報
【特許文献２】特開２００６−１４７９７８号公報
【特許文献３】特開２０１１−３５１６４号公報
【発明の概要】
【発明が解決しようとする課題】
【０００４】
従来、大容量のトランス装置を１つのトランスで構成すると、大型化して重量も非常に重くなり、その上、高価になる。又、例えば、スイッチング電源装置用の大容量のトランス装置では、大容量の高周波トランスにより構成することが必要になるが、そのようなトランスのコア材（鉄心材）として高周波に適したものがなく、必然的にトランス装置が大型化する。
【０００５】
そこで、このような問題を解決するために、特許文献１〜３等に記載された技術を用い、複数のトランスを直並列に接続して小型且つ軽量で大容量のトランス装置を構成することが考えられる。しかしながら、このような大容量のトランス装置では、これを構成する複数のトランスにおいて、巻線の抵抗値等にばらつきがあるため、各トランスの１次巻線及び２次巻線に流れる電流が不均等（アンバランス）になる。その結果、各トランスを通過する電力がアンバランスになり、部分的に大きな電力が通過するトランスが加熱して劣化するという課題が生じ、これを解決することが困難であった。
【課題を解決するための手段】
【０００６】
本発明の内の第１の発明のトランス装置は、１次巻線及び２次巻線を有するトランスが複数、列方向及び行方向にマトリクス状に配列され、第１入力端子及び第２入力端子と第１出力端子及び第２出力端子との間に接続されたトランス装置である。
【０００７】
そして、前記列方向に配列された前記複数のトランスからなる列ブロックの複数において、前記各列ブロック内の前記複数のトランスの前記１次巻線は、前記第１入力端子と前記第２入力端子との間に直列に接続され、且つ、前記複数の列ブロックの１次巻線側両電極が前記第１入力端子と前記第２入力端子との間に並列に接続されている。更に、前記行方向に配列された前記複数のトランスからなる行ブロックの複数において、前記各行ブロック内の前記複数のトランスの前記２次巻線は、前記第１出力端子と前記第２出力端子との間に直列に接続され、且つ、前記複数の行ブロックの２次巻線側両電極が前記第１出力端子と前記第２出力端子との間に並列に接続されている。
【０００８】
第２の発明のトランス装置は、トランス第１入力端、トランス第２入力端子、トランス第１出力端子及びトランス第２出力端子を有するトランス回路が複数、列方向及び行方向にマトリクス状に配列され、第１入力端子及び第２入力端子と第１出力端子及び第２出力端子との間に接続されたトランス装置である。
【０００９】
そして、前記列方向に配列された前記複数のトランス回路からなる列ブロックの複数において、前記各列ブロックは、前記各列ブロック内の一端側に配置された前記トランス回路における前記トランス第１入力端子に接続されたトランス第１入力端子側電極と、前記各列ブロック内の他端側に配置された前記トランス回路における前記トランス第２入力端子に接続されたトランス第２入力端子側電極と、を有し、前記各列ブロック内の前記複数のトランス回路の前記トランス第１入力端子及び前記トランス第２入力端子は、前記第１入力端子と前記第２入力端子との間に直列に接続され、且つ、前記複数の列ブロックの前記トランス第１入力端子側電極及び前記トランス第２入力端子側電極が前記第１入力端子と前記第２入力端子との間に並列に接続されている。更に、前記行方向に配列された前記複数のトランス回路からなる行ブロックの複数において、前記各行ブロックは、前記各行ブロック内の一端側に配置された前記トランス回路における前記トランス第１出力端子に接続されたトランス第１出力端子側第１電極と、前記各行ブロック内の他端側に配置された前記トランス回路における前記トランス第１出力端子に接続されたトランス第１出力端子側第２電極と、を有し、前記各行ブロック内の前記複数のトランス回路の前記トランス第１出力端子及び前記トランス第２出力端子は、前記第１出力端子と前記第２出力端子との間に直列に接続され、且つ、前記複数の行ブロックの前記トランス第１出力端子側第１電極及び前記トランス第１出力端子側第２電極が前記第１出力端子と前記第２出力端子との間に並列に接続されている。
【００１０】
ここで、前記各トランス回路は、１次巻線及び２次巻線をそれぞれ有する第１トランス及び第２トランスを備え、前記第１トランスの前記１次巻線及び前記第２トランスの前記１次巻線は、前記トランス第１入力端子と前記トランス第２入力端子との間に並列に接続され、前記第１トランスの前記２次巻線及び前記第２トランスの前記２次巻線は、前記トランス第１出力端子と前記トランス第２出力端子との間に直列に接続されている。
【発明の効果】
【００１１】
第１及び第２の発明によれば、全てのトランス又はトランス回路の１次巻線又は２次巻線が何らかの形で磁気結合されていることになり、それぞれの２次巻線抵抗の抵抗値にばらつきがあっても、各行ブロックを流れる２次電流が等しくなってバランスが取れる。即ち、電流のアンバランスが少なく、各トランス又は各トランス回路の１次巻線及び２次巻線にほぼ均等に流れる。そのため、各トランス又は各トランス回路を通過する電力も均等になり、複数のトランス又はトランス回路の内の一部が加熱して劣化するという課題を解決することができる。更に、複数のトランス又はトランス回路を用いて大容量のトランス装置を構成しているので、小型且つ軽量で大容量のトランス装置を安価に実現することができる。
【図面の簡単な説明】
【００１２】
【図１】図１は本発明の実施例１におけるトランス装置を示す構成図である。
【図２】図２は比較例のトランス装置を示す構成図である。
【図３】図３は図２中の２個のトランス１０−１１，１０−１２を示す回路図である。
【図４】図４は図２中の４個のトランス１０−１１，１０−１２，１０−２１，１０−２２を示す回路図である。
【図５】図５は図１のトランス装置の実装例を示す概略の断面図である。
【図６】図６は図１中の４個のトランス１０−１１，１０−１２，１０−２１，１０−２２を示す回路図である。
【図７】図７は本発明の実施例２におけるトランス装置を示す構成図である。
【図８】図８は図７中の１個のトランス回路４０−１１を示す回路図である。
【図９】図９は図７中の４個のトランス回路４０−１１，４０−１２，４０−２１，４０−２２を示す回路図である。
【発明を実施するための形態】
【００１３】
本発明を実施するための形態は、以下の好ましい実施例の説明を添付図面と照らし合わせて読むと、明らかになるであろう。但し、図面はもっぱら解説のためのものであって、本発明の範囲を限定するものではない。
【実施例１】
【００１４】
（比較例のトランス装置）
先ず、本発明の実施例１におけるトランス装置の基礎となる比較例のトランス装置について説明する。
【００１５】
複数のトランスを直並列に接続して大容量のトランス装置を作る場合、例えば、図２に示す比較例のような構成のトランス装置が考えられる。
【００１６】
図２は、比較例のトランス装置を示す構成図である。このトランス装置では、複数個（例えば、３０個）のトランス１０−１１〜１０−５６を有している。各トランス１０−１１〜１０−５６は、巻数ｎ１の１次巻線１１と、巻数ｎ２の２次巻線１２とを有している。これらのトランス１０−１１〜１０−５６は、列方向及び行方向にマトリクス状に配列され、第１入力端子Ｐ１及び第２入力端子Ｐ２と第１出力端子Ｓ１及び第２出力端子Ｓ２との間に接続されている。
【００１７】
列方向に配列された複数個（例えば、６個）のトランス１０−１１〜１０−１６により、列ブロック２０−１が構成されている。同様に、列方向に配列された６個のトランス１０−２１〜１０−２６により列ブロック２０−２が構成され、列方向に配列された６個のトランス１０−３１〜１０−３６により列ブロック２０−３が構成され、列方向に配列された６個のトランス１０−４１〜１０−４６により列ブロック２０−４が構成され、更に、列方向に配列された６個のトランス１０−５１〜１０−５６により列ブロック５０−２が構成されている。
【００１８】
各列ブロック２０−１，・・・，２０−６内の複数のトランス１０−１１〜１０−１６，  ・・・，１０−５１〜１０−５６の各１次巻線１１は、第１入力端子Ｐ１と第２入力端子Ｐ２との間に直列に接続され、且つ、その各列ブロック２０−１，・・・，２０−５の各１次巻線側両電極が第１入力端子Ｐ１と第２入力端子Ｐ２との間に並列に接続されている。
【００１９】
各列ブロック２０−１，・・・，２０−５内の複数のトランス１０−１１〜１０−１６，・・・，１０−５１〜１０−５６の各２次巻線１２は、第１出力端子Ｓ１と第２出力端子Ｓ２との間に直列に接続され、且つ、各列ブロック２０−１，・・・，２０−５の各２次巻線側両電極が第１出力端子Ｓ１と第２出力端子Ｓ２との間に並列に接続されている。
【００２０】
図３は、図２中の２個のトランス１０−１１，１０−１２を示す比較例の回路図である。
トランス１０−１１における巻数ｎ１の１次巻線１１と、トランス１０−１２における巻数ｎ１の１次巻線１１とは、直列に接続されている。トランス１０−１１における巻数ｎ２の２次巻線１２と、トランス１０−１２における巻数ｎ２の２次巻線１２とは、直列に接続されている。
【００２１】
トランス１０−１の１次巻線１１の巻き初めと巻き終わりとの間には、並列に励磁インダクタンスＬｍ１が存在し、更に、その１次巻線１１の巻き初め側には、直列に１次巻線抵抗ｒｐ１が存在している。トランス１０−１の２次巻線１２の巻き初め側にも、直列に２次巻線抵抗ｒｓ１が存在している。トランス１０−１の１次巻線１１に、１次電圧Ｖｐ１及び１次電流Ｉｐ１が入力されると、次式に従い、２次巻線１２から、２次電圧Ｖｓ１及び２次電流Ｉｓ１が出力される。
Ｖｐ１／Ｖｓ１＝ｎ１／ｎ２＝Ｉｓ１／Ｉｐ１
【００２２】
同様に、トランス１０−２の１次巻線１１の巻き初めと巻き終わりとの間には、並列に励磁インダクタンスＬｍ２が存在し、更に、その１次巻線１１の巻き初め側には、直列に１次巻線抵抗ｒｐ２が存在している。トランス１０−２の２次巻線１２の巻き初め側にも、直列に２次巻線抵抗ｒｓ２が存在している。トランス１０−２の１次巻線１１に、１次電圧Ｖｐ２及び１次電流Ｉｐ１が入力されると、次式に従い、２次巻線１２から、２次電圧Ｖｓ２及び２次電流Ｉｓ１が出力される。
Ｖｐ２／Ｖｓ２＝ｎ１／ｎ２＝Ｉｓ１／Ｉｐ１
【００２３】
従って、２個のトランス１０−１１，１０−１２の１次巻線１１，１１の入力側に、１次電圧Ｖｐ（＝Ｖｐ１＋Ｖｐ２）及び１次電流Ｉｐ１が入力されると、そのトランス１０−１１，１０−１２の２次巻線１２，１２から、２次電圧Ｖｓ（＝Ｖｓ１＋Ｖｓ２）及び２次電流Ｉｓ１が出力されることになる。
【００２４】
図４は、図２中の４個のトランス１０−１１，１０−１２，１０−２１，１０−２２を示す比較例の回路図である。
【００２５】
この図４の比較例では、２個のトランス１０−１１，１０−１２の１次巻線１１，１１側が、第１入力端子Ｐ１と第２入力端子Ｐ２との間に直列に接続され、その２次巻線１２，１２側が、第１出力端子Ｓ１と第２出力端子Ｓ２との間に直列に接続されている。同様に、２個のトランス１０−２１，１０−２２の１次巻線１１，１１側が、第１入力端子Ｐ１と第２入力端子Ｐ２との間に直列に接続され、その２次巻線１２，１２側が、第１出力端子Ｓ１と第２出力端子Ｓ２との間に直列に接続されている。
【００２６】
図３と同様に、トランス１０−１１は、巻数ｎ１の１次巻線１１と巻数ｎ２の２次巻線１２とを有し、これらには励磁インダクタンスＬｍ１、１次巻線抵抗ｒｐ１、及び２次巻線抵抗ｒｓ１が存在している。トランス１０−１２は、巻数ｎ１の１次巻線１１と巻数ｎ２の２次巻線１２とを有し、これらには励磁インダクタンスＬｍ２、１次巻線抵抗ｒｐ２、及び２次巻線抵抗ｒｓ２が存在している。トランス１０−２１は、巻数ｎ１の１次巻線１１と巻数ｎ２の２次巻線１２とを有し、これらには励磁インダクタンスＬｍ３、１次巻線抵抗ｒｐ３、及び２次巻線抵抗ｒｓ３が存在している。更に、トランス１０−２２は、巻数ｎ１の１次巻線１１と巻数ｎ２の２次巻線１２とを有し、これらには励磁インダクタンスＬｍ４、１次巻線抵抗ｒｐ４、及び２次巻線抵抗ｒｓ４が存在している。
【００２７】
第１入力端子Ｐ１及び第２入力端子Ｐ２に、１次電圧Ｖｐａ（＝Ｖｐｂ）及び１次電流Ｉｐｏが供給されると、その１次電圧Ｖｐａ（＝Ｖｐ１＋Ｖｐ２）と、その１次電流Ｉｐｏから分流した１次電流Ｉｐ１とが、トランス１０−１１，１０−１２の１次巻線１１，１１に入力される。すると、トランス１０−１１，１０−１２の２次巻線１２，１２から、２次電圧Ｖｓａ（＝Ｖｓ１＋Ｖｓ２）及び２次電流Ｉｓ１が出力される。同様に、１次電圧Ｖｐｂ（＝Ｖｐ３＋Ｖｐ４）と、１次電流Ｉｐｏから分流した１次電流Ｉｐ３とが、トランス１０−２１，１０−２２の１次巻線１１，１１に入力される。すると、トランス１０−２１，１０−２２の２次巻線１２，１２から、２次電圧Ｖｓｂ（＝Ｖｓ３＋Ｖｓ４）及び２次電流Ｉｓ３が出力される。その結果、第１出力端子Ｓ１及び第２出力端子Ｓ２から、２次電圧Ｖｓａ（＝Ｖｓｂ）及び２次電流Ｉｓｏ（＝Ｉｓ１＋Ｉｓ３）が出力される。
【００２８】
大容量のトランス装置を作るのに小さなトランス１０−１１，・・・で複合化した場合、問題になるのが２次側の電流バランスである。図４の場合、２次電流Ｉｓ１＝Ｉｓ３で２次電流Ｉｓ１＋Ｉｓ３＝Ｉｓｏなので、２次電流Ｉｓ１＝Ｉｓ３＝Ｉｓｏ／２になることが理想的である。そのために図４の場合は、各々のトランス１０−１１，１０−１２，１０−２１，１０−２２の２次電圧がＶｓ１＋Ｖｓ２＝Ｖｓ３＋Ｖｓ４に揃っていれば良いのだが、２次電流Ｉｓ１，Ｉｓ３によって２次巻線抵抗ｒｓ１，ｒｓ２，ｒｓ３，ｒｓ４による電圧降下が生じ、それぞれの２次巻線抵抗ｒｓ１，ｒｓ２，ｒｓ３，ｒｓ４の抵抗値のばらつきによって電圧降下が異なり、結果的に２次電圧Ｖｓａ，Ｖｓｂに違いが生じてバランスが取れなくなる。最悪の場合、トランス１０−１１及び１０−１２側のブロックと、トランス１０−２１及び１０−２２側のブロックと、のどちらかが全く電流が流れず、一方のブロックが全ての負荷電流を背負うことになり、過負荷による発熱等の問題が生じる。
【００２９】
図２の場合は、更に多くのトランス１０−１１〜１０−５６を用いて大容量のトランス装置を構成しているので、各列ブロック２０−１〜２０−５毎に１次巻線１１及び２次巻線１２の合成抵抗値に差があると、列ブロック２０−１〜２０−５間での電流バランスを取ることが難しく、相当のアンバランスが生じる。そのため、過負荷による発熱等の問題がより大きくなる。
【００３０】
そこで、このような問題を解決するために、本発明の実施例１におけるトランス装置では、以下のように構成している。
【００３１】
（実施例１のトランス装置）
図１は、本発明の実施例１におけるトランス装置を示す構成図であり、比較例のトランス装置を示す図２中の要素と共通の要素には共通の符号が付されている。
【００３２】
このトランス装置では、複数個（例えば、１６個）のトランス１０−１１〜１０−４４を有している。各トランス１０−１１〜１０−４４は、巻数ｎ１の１次巻線１１と、巻数ｎ２の２次巻線１２とを有し、これらのトランス１０−１１〜１０−４４が、列方向及び行方向にマトリクス状に配列され、第１入力端子Ｐ１及び第２入力端子Ｐ２と第１出力端子Ｓ１及び第２出力端子Ｓ２との間に接続されている。
【００３３】
列方向に配列された複数個（例えば、４個）のトランス１０−１１〜１０−１４により、列ブロック２０−１が構成されている。同様に、列方向に配列された４個のトランス１０−２１〜１０−２４により列ブロック２０−２が構成され、列方向に配列された４個のトランス１０−３１〜１０−３４により列ブロック２０−３が構成され、更に、列方向に配列された４個のトランス１０−４１〜１０−４４により列ブロック２０−４が構成されている。
【００３４】
行方向に配列された複数個（例えば、４個）のトランス１０−１１〜１０−４１により、行ブロック３０−１が構成されている。同様に、行方向に配列された４個のトランス１０−１２〜１０−４２により行ブロック３０−２が構成され、行方向に配列された４個のトランス１０−１３〜１０−４３により行ブロック３０−３が構成され、更に、行方向に配列された４個のトランス１０−１４〜１０−４４により行ブロック３０−４が構成されている。
【００３５】
各列ブロック２０−１，・・・，２０−４内の複数のトランス１０−１１〜１０−１４，  ・・・，１０−４１〜１０−４４の各１次巻線１１は、第１入力端子Ｐ１と第２入力端子Ｐ２との間に直列に接続され、且つ、その各列ブロック２０−１，・・・，２０−４の各１次巻線側両電極ａ１，ａ２が第１入力端子Ｐ１と第２入力端子Ｐ２との間に並列に接続されている。
【００３６】
各行ブロック３０−１，・・・，３０−４内の複数のトランス１０−１１〜１０−４１，・・・，１０−１４〜１０−４４の各２次巻線１２は、第１出力端子Ｓ１と第２出力端子Ｓ２との間に直列に接続され、且つ、各行ブロック３０−１，・・・，３０−４の各２次巻線側両電極ｂ１，ｂ２が第１出力端子Ｓ１と第２出力端子Ｓ２との間に並列に接続されている。
【００３７】
図５は、図１のトランス装置の実装例を示す概略の断面図である。
例えば、印刷配線板３１の表面上には、複数個のトランス１０−１１〜１０−４４が列方向及び行方向にマトリクス状に配設され、更に、第１入力端子Ｐ１及び第２入力端子Ｐ２が固定されている。印刷配線板３１の裏面側の全面には、１次側の配線パターンが形成され、その配線パターンにより、各トランス１０−１１〜１０−４４の１次側と、第１入力端子Ｐ１及び第２入力端子Ｐ２と、が接続されている。
【００３８】
複数個のトランス１０−１１〜１０−４４上には、印刷配線板３２の裏面側が固定されている。印刷配線板３２の表面側の全面には、２次側の配線パターンが形成され、その配線パターン上に第１出力端子Ｓ１及び第２出力端子Ｓ２が接続されている。その２次側の配線パターンにより、各トランス１０−１１〜１０−４４の２次側と、第１出力端子Ｓ１及び第２出力端子Ｓ２と、が接続されている。
【００３９】
図６は、図１中の４個のトランス１０−１１，１０−１２，１０−２１，１０−２２を示す回路図である。
【００４０】
トランス１０−１１における巻数ｎ１の１次巻線１１と、トランス１０−１２における巻数ｎ１の１次巻線１１とは、第１入力端子Ｐ１と第２入力端子Ｐ２との間に直列に接続されている。トランス１０−１１における巻数ｎ２の２次巻線１２の巻き初めと、トランス１０−１２における巻数ｎ２の２次巻線１２の巻き初めとは、第１出力端子Ｓ１に対して並列に接続されている。トランス１０−２１における巻数ｎ１の１次巻線１１と、トランス１０−２２における巻数ｎ１の１次巻線１１とは、第１入力端子Ｐ１と第２入力端子Ｐ２との間に直列に接続されている。トランス１０−２１における巻数ｎ２の２次巻線１２の巻き終わりと、トランス１０−２２における巻数ｎ２の２次巻線１２の巻き終わりとは、第２出力端子Ｓ２に対して並列に接続されている。トランス１０−１１における２次巻線１２の巻き終わりは、トランス１０−２１における２次巻線１２の巻き初め及び巻き終わりを介して、第２出力端子Ｓ２に直列に接続されている。更に、トランス１０−１２における２次巻線１２の巻き終わりは、トランス１０−２２における２次巻線１２の巻き初め及び巻き終わりを介して、第２出力端子Ｓ２に直列に接続されている。
【００４１】
トランス１０−１１の１次巻線１１の巻き初めと巻き終わりとの間には、並列に励磁インダクタンスＬｍ１が存在し、更に、その１次巻線１１の巻き初め側には、直列に１次巻線抵抗ｒｐ１が存在している。トランス１０−１１の２次巻線１２の巻き初め側にも、直列に２次巻線抵抗ｒｓ１が存在している。トランス１０−１１の１次巻線１１に、１次電圧Ｖｐ１及び１次電流Ｉｐ１が入力されると、次式に従い、２次巻線１２から、２次電圧Ｖｓ１及び２次電流Ｉｓ１が出力される。
Ｖｐ１／Ｖｓ１＝ｎ１／ｎ２＝Ｉｓ１／Ｉｐ１
【００４２】
同様に、トランス１０−１２の１次巻線１１の巻き初めと巻き終わりとの間には、並列に励磁インダクタンスＬｍ２が存在し、更に、その１次巻線１１の巻き初め側には、直列に１次巻線抵抗ｒｐ２が存在している。トランス１０−１２の２次巻線１２の巻き初め側にも、直列に２次巻線抵抗ｒｓ２が存在している。トランス１０−１２の１次巻線１１に、１次電圧Ｖｐ２及び１次電流Ｉｐ１が入力されると、次式に従い、２次巻線１２から、２次電圧Ｖｓ２及び２次電流Ｉｓ２が出力される。
Ｖｐ２／Ｖｓ２＝ｎ１／ｎ２＝Ｉｓ２／Ｉｐ１
【００４３】
トランス１０−２１の１次巻線１１の巻き初めと巻き終わりとの間には、並列に励磁インダクタンスＬｍ３が存在し、更に、その１次巻線１１の巻き初め側には、直列に１次巻線抵抗ｒｐ３が存在している。トランス１０−２１の２次巻線１２の巻き初め側にも、直列に２次巻線抵抗ｒｓ３が存在している。トランス１０−２１の１次巻線１１に、１次電圧Ｖｐ３及び１次電流Ｉｐ３が入力されると、次式に従い、２次巻線１２から、２次電圧Ｖｓ３及び２次電流Ｉｓ１が出力される。
Ｖｐ３／Ｖｓ３＝ｎ１／ｎ２＝Ｉｓ１／Ｉｐ３
【００４４】
トランス１０−２２の１次巻線１１の巻き初めと巻き終わりとの間には、並列に励磁インダクタンスＬｍ４が存在し、更に、その１次巻線１１の巻き初め側には、直列に１次巻線抵抗ｒｐ４が存在している。トランス１０−２２の２次巻線１２の巻き初め側にも、直列に２次巻線抵抗ｒｓ４が存在している。トランス１０−２２の１次巻線１１に、１次電圧Ｖｐ４及び１次電流Ｉｐ３が入力されると、次式に従い、２次巻線１２から、２次電圧Ｖｓ４及び２次電流Ｉｓ２が出力される。
Ｖｐ４／Ｖｓ４＝ｎ１／ｎ２＝Ｉｓ２／Ｉｐ３
【００４５】
従って、第１入力端子Ｐ１及び第２入力端子Ｐ２に、１次電圧Ｖｐ及び１次電流Ｉｐｏが供給されると、その１次電圧Ｖｐと、その１次電流Ｉｐｏから分流した１次電流Ｉｐ１とが、２個のトランス１０−１１，１０−１２の１次巻線１１，１１に入力される。この際、トランス１０−１１の１次巻線１１には、１次電圧Ｖｐ１が入力され、トランス１０−１２の１次巻線１１には、１次電圧Ｖｐ２が入力される。すると、トランス１０−１１の２次巻線１２から、２次電圧Ｖｓ１及び２次電流Ｉｓ１が出力される。更に、トランス１０−１２の２次巻線１２から、２次電圧Ｖｓ２及び２次電流Ｉｓ２が出力される。２次電流Ｉｓ１及びＩｓ２は、合流して２次電流Ｉｓｏとなり、第１出力端子Ｓ１へ出力される。
【００４６】
前記第１入力端子Ｐ１及び第２入力端子Ｐ２に、１次電圧Ｖｐ及び１次電流Ｉｐｏが供給されると、その１次電圧Ｖｐと、その１次電流Ｉｐｏから分流した１次電流Ｉｐ３とが、２個のトランス１０−２１，１０−２２の１次巻線１１，１１に入力される。この際、トランス１０−２１の１次巻線１１には、１次電圧Ｖｐ３が印加され、トランス１０−２２の１次巻線１１には、１次電圧Ｖｐ４が印加される。すると、トランス１０−２１の２次巻線１２から、２次電圧Ｖｓ３及び２次電流Ｉｓ１が出力される。この２次電流Ｉｓ１は、トランス１０−１１の２次巻線１２へ流れる。更に、トランス１０−２２の２次巻線１２から、２次電圧Ｖｓ４及び２次電流Ｉｓ２が出力される。この２次電流Ｉｓ２は、トランス１０−１２の２次巻線１２へ流れる。トランス１０−１１の２次巻線１２に流れる２次電流Ｉｓ１と、トランス１０−１２の２次巻線１２に流れる２次電流Ｉｓ２とは、合流して前記２次電流Ｉｓｏとなり、第１出力端子Ｓ１へ出力される。
【００４７】
図６の回路において、１次側の構成は、図４の比較例と同じだが、２次側は、トランス１０−１１，１０−１２の２次巻線１２，１２が、トランス１０−２１，１０−２２の２次巻線１２，１２とそれぞれ直列に接続されている。そのため、全てのトランス１０−１１，１０−１２，１０−２１，１０−２２の１次巻線１１又は２次巻線１２が何らかの形で磁気結合されていることになり、それぞれの２次巻線抵抗ｒｓ１，ｒｓ２，ｒｓ３，ｒｓ４の抵抗値にばらつきがあっても、２次電流Ｉｓ１＝Ｉｓ２となりバランスが取れる。その結果、過負荷による発熱等の問題が生じない。
【００４８】
図１の場合は、更に多くのトランス１０−１１〜１０−４４を用いて大容量のトランス装置を構成しているが、図６の回路と同様に、過負荷による発熱等の問題が生じない。
【００４９】
（実施例１の効果）
本実施例１を示す図１のトランス装置によれば、各列ブロック２０−１〜２０−５内の複数のトランス１０−１１〜１０−１４，・・・の１次巻線１１が、第１入力端子Ｐ１と第２入力端子Ｐ２との間に直列に接続され、且つ、各列ブロック２０−１〜２０−４の１次巻線側両電極ａ１，ａ２が第１入力端子Ｐ１と第２入力端子Ｐ２との間に並列に接続され、更に、各行ブロック３０−１〜３０−４内の複数のトランス１０−１１〜１０−４１，・・・の２次巻線１２が、第１出力端子Ｓ１と第２出力端子Ｓ２との間に直列に接続され、且つ、各行ブロック３０−１〜３０−４の２次巻線側両電極ｂ１，ｂ２が第１出力端子Ｓ１と第２出力端子Ｓ２との間に並列に接続されている。そのため、次の（ａ）、（ｂ）のような効果がある。
【００５０】
（ａ）  全てのトランス１０−１１〜１０−４４の１次巻線１１又は２次巻線１２が何らかの形で磁気結合されていることになり、それぞれの２次巻線抵抗の抵抗値にばらつきがあっても、各行ブロック３０−１〜３０−４を流れる２次電流が等しくなってバランスが取れる。即ち、電流のアンバランスが少なく、各トランス１０−１１〜１０−４４の１次巻線１１及び２次巻線１２にほぼ均等に流れる。そのため、各トランス１０−１１〜１０−４４を通過する電力も均等になり、複数のトランス１０−１１〜１０−４４の内の一部が加熱して劣化するという課題を解決することができる。
【００５１】
（ｂ）  複数のトランス１０−１１〜１０−４４を用いて大容量のトランス装置を構成しているので、小型且つ軽量で大容量のトランス装置を安価に実現することができる。
【実施例２】
【００５２】
（実施例２のトランス装置）
図７は、本発明の実施例２におけるトランス装置を示す構成図であり、実施例１を示す図１中の要素と共通の要素には共通の符号が付されている。
【００５３】
このトランス装置では、複数個（例えば、１６個）のトランス回路４０−１１〜４０−４４を有している。各トランス回路４０−１１〜４０−４４は、図１に示す実施例１の各トランス１０−１１〜１０−４４に相当するものであるが、２個のトランス５０，６０により構成されている点が実施例１と異なる。
【００５４】
即ち、各トランス回路４０−１１〜４０−４４は、トランス第１入力端子４１、トランス第２入力端子４２、トランス第１出力端子４３、及びトランス第２出力端子４４を有し、それらのトランス第１入力端子４１及びトランス第２入力端子４２と、トランス第１出力端子４３及びトランス第２出力端子４４との間に、２個のトランス５０，６０が接続されている。一方のトランス５０は、巻数ｎ１の１次巻線５１と、巻数ｎ２の２次巻線５２とを有している。他方のトランス６０は、巻数ｎ１の１次巻線６１と、巻数ｎ２の２次巻線６２とを有している。トランス５０の１次巻線５１と、トランス６０の１次巻線６１とは、トランス第１入力端子４１とトランス第２入力端子４２との間に、並列に接続されている。トランス５０の２次巻線５２と、トランス６０の２次巻線６２とは、トランス第１出力端子４３とトランス第２出力端子４４との間に、直列に接続されている。
【００５５】
これらのトランス回路４０−１１〜４０−４４は、実施例１の図５と同様に、例えば、印刷配線板３１，３２上に、列方向及び行方向にマトリクス状に配設され、第１入力端子Ｐ１及び第２入力端子Ｐ２と第１出力端子Ｓ１及び第２出力端子Ｓ２との間に接続されている。
【００５６】
実施例１と同様に、列方向に配列された複数個（例えば、４個）のトランス回路４０−１１〜４０−１４により、列ブロック２０−１が構成され、列方向に配列された４個のトランス回路４０−２１〜４０−２４により列ブロック２０−２が構成され、列方向に配列された４個のトランス回路４０−３１〜４０−３４により列ブロック２０−３が構成され、更に、列方向に配列された４個のトランス回路４０−４１〜４０−４４により列ブロック２０−４が構成されている。
【００５７】
実施例１と同様に、行方向に配列された複数個（例えば、４個）のトランス回路４０−１１〜４０−４１により、行ブロック３０−１が構成され、行方向に配列された４個のトランス回路４０−１２〜４０−４２により行ブロック３０−２が構成され、行方向に配列された４個のトランス回路４０−１３〜４０−４３により行ブロック３０−３が構成され、更に、行方向に配列された４個のトランス回路４０−１４〜４０−４４により行ブロック３０−４が構成されている。
【００５８】
各列ブロック２０−１，・・・，２０−４内の複数のトランス回路４０−１１〜４０−１４，  ・・・，４０−４１〜４０−４４の各トランス第１入力端子４１及びトランス第２入力端子４２は、第１入力端子Ｐ１と第２入力端子Ｐ２との間に直列に接続され、且つ、その各列ブロック２０−１，・・・，２０−４の各トランス第１入力端子側電極ｃ１及びトランス第２入力端子側電極ｃ２が第１入力端子Ｐ１と第２入力端子Ｐ２との間に並列に接続されている。
【００５９】
各行ブロック３０−１，・・・，３０−４内の複数のトランス回路４０−１１〜４０−４１，・・・，４０−１４〜４０−４４の各トランス第１出力端子４３及びトランス第２出力端子４４は、第１出力端子Ｓ１と第２出力端子Ｓ２との間に直列に接続され、且つ、各行ブロック３０−１，・・・，３０−４のトランス第１出力端子側第１電極ｄ１及びトランス第１出力端子側第２電極ｄ２が第１出力端子Ｓ１と第２出力端子Ｓ２との間に並列に接続されている。
【００６０】
図８は、図７中の１個のトランス回路４０−１１を示す回路図である。
トランス回路４０−１１は、２個のトランス５０，６０により構成されている。実施例１と同様に、一方のトランス５０の１次巻線５１の巻き初めと巻き終わりとの間には、並列に励磁インダクタンスＬｍ１が存在し、更に、その１次巻線５１の巻き初め側には、直列に１次巻線抵抗ｒｐ１が存在している。トランス５０の２次巻線５２の巻き初め側にも、直列に２次巻線抵抗ｒｓ１が存在している。トランス５０の１次巻線５１に、１次電圧Ｖｐ及び１次電流Ｉｐ１が入力されると、次式に従い、２次巻線５２から、２次電圧Ｖｓ１及び２次電流Ｉｓ１が出力される。
Ｖｐ／Ｖｓ１＝ｎ１／ｎ２＝Ｉｓ１／Ｉｐ１
【００６１】
同様に、他方のトランス６０の１次巻線６１の巻き初めと巻き終わりとの間には、並列に励磁インダクタンスＬｍ２が存在し、更に、その１次巻線６１の巻き初め側には、直列に１次巻線抵抗ｒｐ２が存在している。トランス６０の２次巻線６２の巻き初め側にも、直列に２次巻線抵抗ｒｓ２が存在している。トランス６０の１次巻線６１に、１次電圧Ｖｐ及び１次電流Ｉｐ２が入力されると、次式に従い、２次巻線６２から、２次電圧Ｖｓ２及び２次電流Ｉｓ１が出力される。この２次電流Ｉｓ１は、２次巻線５２へ流れる。
Ｖｐ／Ｖｓ２＝ｎ１／ｎ２＝Ｉｓ１／Ｉｐ２
【００６２】
従って、トランス第１入力端子４１及びトランス第２入力端子４２に、１次電圧Ｖｐが供給されると、その１次電圧Ｖｐ及び１次電流Ｉｐ１がトランス５０の１次巻線５１に入力され、更に、その１次電圧Ｖｐ及び１次電流Ｉｐ２がトランス６０の１次巻線６１に入力される。すると、トランス５０，６０の２次巻線５２，６２に接続されたトランス第１出力端子４３及びトランス第２出力端子４４から、２次電圧Ｖｓ（＝Ｖｓ１＋Ｖｓ２）及び２次電流Ｉｓ１が出力されることになる。
【００６３】
図９は、図７中の４個のトランス回路４０−１１，４０−１２，４０−２１，４０−２２を示す回路図である。
【００６４】
トランス回路４０−１１のトランス第１入力端子４１及びトランス第２入力端子４２と、トランス回路４０−１２のトランス第１入力端子４１及びトランス第２入力端子４２とは、第１入力端子Ｐ１と第２入力端子Ｐ２との間に直列に接続されている。トランス回路４０−１１のトランス第１出力端子４３と、トランス回路４０−１２のトランス第１出力端子４３とは、第１出力端子Ｓ１に並列に接続されている。トランス回路４０−１１のトランス第２出力端子４４は、トランス回路４０−２１のトランス第１出力端子４３に接続されている。トランス回路４０−１２のトランス第２出力端子４４は、トランス回路４０−２２のトランス第１出力端子４３に接続されている。トランス回路４０−２１のトランス第１入力端子４１及びトランス第２入力端子４２と、トランス回路４０−２２のトランス第１入力端子４１及びトランス第２入力端子４２とは、第１入力端子Ｐ１と第２入力端子Ｐ２との間に直列に接続されている。トランス回路４０−２１のトランス第２出力端子４４と、トランス回路４０−２２のトランス第２出力端子４４とは、第２出力端子Ｓ２に並列に接続されている。
【００６５】
図８で説明したように、トランス回路４０−１１の各１次巻線５１，６１の巻き初めと巻き終わりとの間には、並列に励磁インダクタンスＬｍ１，Ｌｍ２がそれぞれ存在し、更に、その各１次巻線５１，６１の巻き初め側には、直列に１次巻線抵抗ｒｐ１，ｒｐ２がそれぞれ存在している。トランス回路４０−１１の各２次巻線５２，６２の巻き初め側にも、直列に２次巻線抵抗ｒｓ１，ｒｓ２がそれぞれ存在している。トランス回路４０−１１のトランス第１入力端子４１及びトランス第２入力端子４２に、１次電圧Ｖｐ１と、１次電流Ｉｐｏから分流した１次電流Ｉｐａ（＝Ｉｐ１＋Ｉｐ２）とが入力されると、次式に従い、トランス第１出力端子４３及びトランス第２出力端子４４から、２次電圧Ｖｓａ及び２次電流Ｉｓ１が出力される。
Ｖｐ１／Ｖｓ１＝ｎ１／ｎ２＝Ｉｓ１／Ｉｐ１
→  Ｖｓ１＝Ｖｐ１×（ｎ２／ｎ１）  ，  Ｉｐ１＝Ｉｓ１×（ｎ２／ｎ１）
Ｖｐ１／Ｖｓ２＝ｎ１／ｎ２＝Ｉｓ１／Ｉｐ２
→  Ｖｓ２＝Ｖｐ１×（ｎ２／ｎ１）  ，Ｉｐ２＝Ｉｓ１×（ｎ２／ｎ１）
Ｉｐａ＝Ｉｐ１＋Ｉｐ２＝２×Ｉｓ１×（ｎ２／ｎ１）
→  Ｉｓ１＝（Ｉｐａ／２）×（ｎ１／ｎ２）
Ｖｓａ＝Ｖｓ１＋Ｖｓ２＝２×Ｖｐ１×（ｎ２／ｎ１）
【００６６】
同様に、トランス回路４０−１２の各１次巻線５１，６１の巻き初めと巻き終わりとの間には、並列に励磁インダクタンスＬｍ３，Ｌｍ４がそれぞれ存在し、更に、その各１次巻線５１，６１の巻き初め側には、直列に１次巻線抵抗ｒｐ３，ｒｐ４がそれぞれ存在している。トランス回路４０−１２の各２次巻線５２，６２の巻き初め側にも、直列に２次巻線抵抗ｒｓ３，ｒｓ４がそれぞれ存在している。トランス回路４０−１２のトランス第１入力端子４１及びトランス第２入力端子４２に、１次電圧Ｖｐ２及び１次電流Ｉｐａ（＝Ｉｐ３＋Ｉｐ４）が入力されると、次式に従い、トランス第１出力端子４３及びトランス第２出力端子４４から、２次電圧Ｖｓｂ及び２次電流Ｉｓ２が出力される。
Ｖｐ２／Ｖｓ３＝ｎ１／ｎ２＝Ｉｓ２／Ｉｐ３
→  Ｖｓ３＝Ｖｐ２×（ｎ２／ｎ１）  ，  Ｉｐ３＝Ｉｓ２×（ｎ２／ｎ１）
Ｖｐ２／Ｖｓ４＝ｎ１／ｎ２＝Ｉｓ２／Ｉｐ４
→  Ｖｓ４＝Ｖｐ２×（ｎ２／ｎ１）  ，Ｉｐ４＝Ｉｓ２×（ｎ２／ｎ１）
Ｉｐａ＝Ｉｐ３＋Ｉｐ４＝２×Ｉｓ２×（ｎ２／ｎ１）
→  Ｉｓ２＝（Ｉｐａ／２）×（ｎ１／ｎ２）
Ｖｓｂ＝Ｖｓ３＋Ｖｓ４＝２×Ｖｐ２×（ｎ２／ｎ１）
【００６７】
各トランス回路４０−１１，４０−１２からそれぞれ出力された２次電流Ｉｓ１，Ｉｓ２は、合流して２次電流Ｉｓｏ（＝Ｉｓ１＋Ｉｓ２）となり、第１出力端子Ｓ１から出力される。
【００６８】
トランス回路４０−２１の各１次巻線５１，６１の巻き初めと巻き終わりとの間には、並列に励磁インダクタンスＬｍ５，Ｌｍ６がそれぞれ存在し、更に、その各１次巻線５１，６１の巻き初め側には、直列に１次巻線抵抗ｒｐ５，ｒｐ６がそれぞれ存在している。トランス回路４０−２１の各２次巻線５２，６２の巻き初め側にも、直列に２次巻線抵抗ｒｓ５，ｒｓ６がそれぞれ存在している。トランス回路４０−２１のトランス第１入力端子４１及びトランス第２入力端子４２に、１次電圧Ｖｐ３と、１次電流Ｉｐｏから分流した１次電流Ｉｐｂ（＝Ｉｐ５＋Ｉｐ６）とが入力されると、次式に従い、トランス第１出力端子４３及びトランス第２出力端子４４から、２次電圧Ｖｓｃ及び２次電流Ｉｓ１が出力される。
Ｖｐ３／Ｖｓ５＝ｎ１／ｎ２＝Ｉｓ１／Ｉｐ５
→  Ｖｓ５＝Ｖｐ３×（ｎ２／ｎ１）  ，  Ｉｐ５＝Ｉｓ１×（ｎ２／ｎ１）
Ｖｐ３／Ｖｓ６＝ｎ１／ｎ２＝Ｉｓ１／Ｉｐ６
→  Ｖｓ６＝Ｖｐ３×（ｎ２／ｎ１）  ，Ｉｐ６＝Ｉｓ１×（ｎ２／ｎ１）
Ｉｐｂ＝Ｉｐ５＋Ｉｐ６＝２×Ｉｓ１×（ｎ２／ｎ１）
→  Ｉｓ１＝（Ｉｐｂ／２）×（ｎ１／ｎ２）
Ｖｓｃ＝Ｖｓ５＋Ｖｓ６＝２×Ｖｐ３×（ｎ２／ｎ１）
【００６９】
トランス回路４０−２１のトランス第１出力端子４３から出力された２次電流Ｉｓ１は、トランス回路４０−１１のトランス第２出力端子４４を経由して、そのトランス回路４０−１１の２次巻線６２，５２へ流れる。
【００７０】
トランス回路４０−２２の各１次巻線５１，６１の巻き初めと巻き終わりとの間には、並列に励磁インダクタンスＬｍ７，Ｌｍ８がそれぞれ存在し、更に、その各１次巻線５１，６１の巻き初め側には、直列に１次巻線抵抗ｒｐ７，ｒｐ８がそれぞれ存在している。トランス回路４０−２２の各２次巻線５２，６２の巻き初め側にも、直列に２次巻線抵抗ｒｓ７，ｒｓ８がそれぞれ存在している。トランス回路４０−２２のトランス第１入力端子４１及びトランス第２入力端子４２に、１次電圧Ｖｐ４及び１次電流Ｉｐｂ（＝Ｉｐ７＋Ｉｐ８）が入力されると、次式に従い、トランス第１出力端子４３及びトランス第２出力端子４４から、２次電圧Ｖｓｄ及び２次電流Ｉｓ２が出力される。
Ｖｐ４／Ｖｓ７＝ｎ１／ｎ２＝Ｉｓ２／Ｉｐ７
→  Ｖｓ７＝Ｖｐ４×（ｎ２／ｎ１）  ，  Ｉｐ７＝Ｉｓ２×（ｎ２／ｎ１）
Ｖｐ４／Ｖｓ８＝ｎ１／ｎ２＝Ｉｓ２／Ｉｐ８
→  Ｖｓ８＝Ｖｐ４×（ｎ２／ｎ１）  ，Ｉｐ８＝Ｉｓ２×（ｎ２／ｎ１）
Ｉｐｂ＝Ｉｐ７＋Ｉｐ８＝２×Ｉｓ２×（ｎ２／ｎ１）
→  Ｉｓ２＝（Ｉｐｂ／２）×（ｎ１／ｎ２）
Ｖｓｄ＝Ｖｓ７＋Ｖｓ８＝２×Ｖｐ４×（ｎ２／ｎ１）
【００７１】
トランス回路４０−２２のトランス第１出力端子４３から出力された２次電流Ｉｓ２は、トランス回路４０−１２のトランス第２出力端子４４を経由して、そのトランス回路４０−１２の２次巻線６２，５２へ流れる。
【００７２】
従って、第１入力端子Ｐ１及び第２入力端子Ｐ２に、１次電圧Ｖｐ及び１次電流Ｉｐｏが供給されると、その１次電圧Ｖｐと、その１次電流Ｉｐｏから分流した１次電流Ｉｐａとが、２個のトランス回路４０−１１，４０−１２のトランス第１入力端子４１及びトランス第２入力端子４２に入力される。この際、トランス回路４０−１１のトランス第１入力端子４１及びトランス第２入力端子４２には、１次電圧Ｖｐ１が入力され、トランス回路４０−１２のトランス第１入力端子４１及びトランス第２入力端子４２には、１次電圧Ｖｐ２が入力される。すると、トランス回路４０−１１のトランス第１出力端子４３及びトランス第２出力端子４４から、２次電圧Ｖｓａ及び２次電流Ｉｓ１が出力される。更に、トランス回路４０−１２のトランス第１出力端子４３及びトランス第２出力端子４４から、２次電圧Ｖｓｂ及び２次電流Ｉｓ２が出力される。２次電流Ｉｓ１及びＩｓ２は、合流して２次電流Ｉｓｏとなり、第１出力端子Ｓ１へ出力される。
【００７３】
前記第１入力端子Ｐ１及び第２入力端子Ｐ２に、１次電圧Ｖｐ及び１次電流Ｉｐｏが供給されると、その１次電圧Ｖｐと、その１次電流Ｉｐｏから分流した１次電流Ｉｐｂとが、２個のトランス回路４０−２１，４０−２２のトランス第１入力端子４１及びトランス第２入力端子４２に入力される。この際、トランス回路４０−２１のトランス第１入力端子４１及びトランス第２入力端子４２には、１次電圧Ｖｐ３が印加され、トランス回路４０−２２のトランス第１入力端子４１及びトランス第２入力端子４２には、１次電圧Ｖｐ４が印加される。すると、トランス回路４０−２１のトランス第１出力端子４３及びトランス第２出力端子４４から、２次電圧Ｖｓｃ及び２次電流Ｉｓ１が出力される。この２次電流Ｉｓ１は、トランス回路４０−１１のトランス第２出力端子４４を経由して２次巻線６２，５２へ流れる。更に、トランス回路４０−２２のトランス第１出力端子４３及びトランス第２出力端子４４から、２次電圧Ｖｓｄ及び２次電流Ｉｓ２が出力される。この２次電流Ｉｓ２は、トランス回路４０−１２のトランス第２出力端子４４を経由して２次巻線６２，５２へ流れる。トランス回路４０−１１の２次巻線６２，５２に流れる２次電流Ｉｓ１と、トランス回路４０−１２の２次巻線６２，５２に流れる２次電流Ｉｓ２とは、合流して前記２次電流Ｉｓｏとなり、第１出力端子Ｓ１へ出力される。
【００７４】
図９の回路において、実施例１の図６とほぼ同様に、２次側は、各トランス回路４０−１１，４０−１２の２次巻線５２，６２が、各トランス回路４０−２１，４０−２２の２次巻線５２，６２とそれぞれ直列に接続されている。そのため、全てのトランス回路４０−１１，４０−１２，４０−２１，４０−２２の１次巻線５１，６１又は２次巻線５２，６２が何らかの形で磁気結合されていることになり、それぞれの２次巻線抵抗ｒｓ１，ｒｓ２，ｒｓ３，ｒｓ４，ｒｓ５，ｒｓ６，ｒｓ７，ｒｓ８の抵抗値にばらつきがあっても、２次電流Ｉｓ１＝Ｉｓ２となりバランスが取れる。その結果、過負荷による発熱等の問題が生じない。
【００７５】
図７の場合は、更に多くのトランス回路４０−１１〜４０−４４を用いて大容量のトランス装置を構成しているが、図９の回路と同様に、過負荷による発熱等の問題が生じない。
【００７６】
（実施例２の効果）
本実施例２を示す図７のトランス装置によれば、各列ブロック２０−１〜２０−５内の複数のトランス回路４０−１１〜４０−１４，・・・のトランス第１入力端子４１及びトランス第２入力端子４２が、第１入力端子Ｐ１と第２入力端子Ｐ２との間に直列に接続され、且つ、各列ブロック２０−１〜２０−４のトランス第１入力端子側電極ｃ１及びトランス第２入力端子側電極ｃ２が第１入力端子Ｐ１と第２入力端子Ｐ２との間に並列に接続され、更に、各行ブロック３０−１〜３０−４内の複数のトランス回路４０−１１〜４０−４１，・・・のトランス第１出力端子４３及びトランス第２出力端子４４が、第１出力端子Ｓ１と第２出力端子Ｓ２との間に直列に接続され、且つ、各行ブロック３０−１〜３０−４のトランス第１出力端子側第１電極ｄ１及びトランス第１出力端子側第２電極ｄ２が第１出力端子Ｓ１と第２出力端子Ｓ２との間に並列に接続されている。そのため、次の（ａ）、（ｂ）のような効果がある。
【００７７】
（ａ）  全てのトランス回路４０−１１〜４０−４４の１次巻線５１，６１又は２次巻線５２，６２が何らかの形で磁気結合されていることになり、それぞれの２次巻線抵抗の抵抗値にばらつきがあっても、各行ブロック３０−１〜３０−４を流れる２次電流が等しくなってバランスが取れる。即ち、電流のアンバランスがより少なく、各トランス回路４０−１１〜４０−４４の１次巻線５１，６１及び２次巻線５２，６２にほぼ均等に流れる。そのため、各トランス回路４０−１１〜４０−４４を通過する電力も均等になり、複数のトランス回路４０−１１〜４０−４４の内の一部が加熱して劣化するという課題を解決することができる。
【００７８】
（ｂ）  複数のトランス回路４０−１１〜４０−４４を用いて大容量のトランス装置を構成しているので、小型且つ軽量でより大容量のトランス装置を安価に実現することができる。
【００７９】
（変形例）
本発明は、上記実施例に限定されず、種々の利用形態や変形が可能である。この利用形態や変形例としては、例えば、次の（１）、（２）のようなものがある。
【００８０】
（１）  図１では、１６個のトランス１０−１１〜１０−４４を用いてトランス装置を構成し、図７では、１６個のトランス回路４０−１１〜４０−４４を用いてトランス装置を構成しているが、そのトランス１０−１１〜１０−４４の数、あるいはトランス回路４０−１１〜４０−４４の数は、必要となるトランス容量に応じて任意の数に変更が可能である。
【００８１】
（２）  図１及び図７のトランス装置における実装構造は、図５以外の他の構造に変更しても良い。
【符号の説明】
【００８２】
１０−１１〜１０−４４，５０，６０      トランス
１１，５１，６１      １次巻線
１２，５２，６２      ２次巻線
２０−１〜２０−４      列ブロック
３０−１〜３０−４      行ブロック
４０−１１〜４０−４４      トランス回路
４１      トランス第１入力端子
４２      トランス第２入力端子
４３      トランス第１出力端子
４４      トランス第２出力端子
Ｐ１，Ｐ２      第１、第２入力端子
Ｓ１，Ｓ２      第１、第２出力端子
【図１】
0005758747.tif 000002
【図２】
0005758747.tif 000003
【図３】
0005758747.tif 000004
【図４】
0005758747.tif 000005
【図５】
0005758747.tif 000006
【図６】
0005758747.tif 000007
【図７】
0005758747.tif 000008
【図８】
0005758747.tif 000009
【図９】
0005758747.tif 000010